(57)【要約】  本願は無線通信方法、ネットワーク機器及び端末装置を提供し、ネットワーク機器はタイムスロットレベル又はシンボルレベルでＰＤＣＣＨを伝送する第１リソースの時間領域位置を設定することができ、端末装置は各タイムスロット内の第１リソースにおいてＰＤＣＣＨをモニタリングする必要がなく、更に、端末装置の電力消費を低減する。該方法は、端末装置へ設定情報を送信し、該設定情報が第１リソースの時間領域位置を設定することに用いられ、該第１リソースがＰＤＣＣＨを伝送することに用いられ、該設定情報が第１設定情報及び第２設定情報を含み、該第１設定情報が少なくとも１つの第１時間領域ユニットを示し、各該第１時間領域ユニットが該第１リソースを含み、該第２設定情報が該第１設定情報によって示される該第１時間領域ユニットにおける少なくとも１つの第２時間領域ユニットを示し、各該第２時間領域ユニットが該第１リソースの一部又は全部を含むことと、該第１リソースにおいて該端末装置へ該ＰＤＣＣＨを伝送することと、を含む。
2020534711.tif 000002
【特許請求の範囲】
【請求項１】
無線通信方法であって、
端末装置へ設定情報を送信し、前記設定情報が第１リソースの時間領域位置を設定することに用いられ、前記第１リソースが物理ダウンリンク制御チャネルを伝送することに用いられ、前記設定情報が第１設定情報及び第２設定情報を含み、前記第１設定情報が少なくとも１つの第１時間領域ユニットを示し、各前記第１時間領域ユニットが前記第１リソースを含み、前記第２設定情報が、前記第１設定情報によって示される前記第１時間領域ユニットにおける少なくとも１つの第２時間領域ユニットを示し、各前記第２時間領域ユニットが前記第１リソースの一部又は全部を含むことと、
前記第１リソースにおいて前記端末装置へ前記物理ダウンリンク制御チャネルを伝送することと、を含むことを特徴とする、前記無線通信方法。
【請求項２】
前記第１時間領域ユニットが少なくとも１つのタイムスロットを含むことを特徴とする
請求項１に記載の方法。
【請求項３】
前記第２時間領域ユニットが少なくとも１つのシンボルを含むことを特徴とする
請求項１又は２に記載の方法。
【請求項４】
前記第１設定情報は具体的に前記第１時間領域ユニットの出現する周期を示すことに用いられ、又は、前記第１設定情報は具体的に第１時間周期内の前記少なくとも１つの第１時間領域ユニットの時間領域位置を示すことに用いられることを特徴とする
請求項１〜３のいずれか１項に記載の方法。
【請求項５】
前記第１設定情報が第１時間周期内の時間領域位置によって前記少なくとも１つの第１時間領域ユニットを示す場合、前記第１時間周期内の時間領域位置は、前記第１時間周期内のすべての第１時間領域ユニットの時間領域位置のセットを含むことを特徴とする
請求項４に記載の方法。
【請求項６】
前記第２設定情報は具体的に前記第２時間領域ユニットの出現する周期を示すことに用いられ、又は、前記第２設定情報は具体的に前記少なくとも１つの第２時間領域ユニットの前記第１時間領域ユニットにおける時間領域位置を示すことに用いられることを特徴とする
請求項１〜５のいずれか１項に記載の方法。
【請求項７】
前記第２設定情報が前記第１時間領域ユニットにおける時間領域位置によって前記少なくとも１つの第２時間領域ユニットを示す場合、前記第１時間領域ユニットにおける時間領域位置は、前記第１時間領域ユニットにおける前記第１リソースの開始シンボル位置、及び／又は、前記第１時間領域ユニットにおけるすべての第１リソースの時間領域長情報、及び／又は、前記第１時間領域ユニットにおけるすべての第１リソースの時間領域位置のセットを含むことを特徴とする
請求項６に記載の方法。
【請求項８】
前記第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
前記第２設定情報がＲＲＣシグナリング、システム情報、ＤＣＩ及びＭＡＣ  ＣＥのうちのいずれか１つであることを特徴とする
請求項１〜７のいずれか１項に記載の方法。
【請求項９】
前記第１リソースが物理ダウンリンク制御チャネルを伝送する制御リソースセット又はサーチスペースであることを特徴とする
請求項１〜８のいずれか１項に記載の方法。
【請求項１０】
無線通信方法であって、
ネットワーク機器から送信された設定情報を受信し、前記設定情報が第１リソースの時間領域位置を示すことに用いられ、前記第１リソースが物理ダウンリンク制御チャネルを伝送することに用いられ、前記設定情報が第１設定情報及び第２設定情報を含み、前記第１設定情報が少なくとも１つの第１時間領域ユニットを示し、各前記第１時間領域ユニットが前記第１リソースを含み、前記第２設定情報が、前記第１設定情報によって示される前記第１時間領域ユニットにおける少なくとも１つの第２時間領域ユニットを示し、各前記第２時間領域ユニットが前記第１リソースの一部又は全部を含むことと、
前記第１リソースにおいて前記ネットワーク機器より伝送された前記物理ダウンリンク制御チャネルをモニタリングすることと、を含むことを特徴とする、前記無線通信方法。
【請求項１１】
前記第１時間領域ユニットが少なくとも１つのタイムスロットを含むことを特徴とする
請求項１０に記載の方法。
【請求項１２】
前記第２時間領域ユニットが少なくとも１つのシンボルを含むことを特徴とする
請求項１０又は１１に記載の方法。
【請求項１３】
前記第１設定情報は具体的に前記第１時間領域ユニットの出現する周期を示すことに用いられ、又は、前記第１設定情報は具体的に第１時間周期内の前記少なくとも１つの第１時間領域ユニットの時間領域位置を示すことに用いられることを特徴とする
請求項１０〜１２のいずれか１項に記載の方法。
【請求項１４】
前記第１設定情報が第１時間周期内の時間領域位置によって前記少なくとも１つの第１時間領域ユニットを示す場合、前記第１時間周期内の時間領域位置は、前記第１時間周期内のすべての第１時間領域ユニットの時間領域位置のセットを含むことを特徴とする
請求項１３に記載の方法。
【請求項１５】
前記第２設定情報は具体的に前記第２時間領域ユニットの出現する周期を示すことに用いられ、又は、前記第２設定情報は具体的に前記少なくとも１つの第２時間領域ユニットの前記第１時間領域ユニットにおける時間領域位置を示すことに用いられることを特徴とする
請求項１０〜１４のいずれか１項に記載の方法。
【請求項１６】
前記第２設定情報が前記第１時間領域ユニットにおける時間領域位置によって前記少なくとも１つの第２時間領域ユニットを示す場合、前記第１時間領域ユニットにおける時間領域位置は、前記第１時間領域ユニットにおける前記第１リソースの開始シンボル位置、及び／又は、前記第１時間領域ユニットにおけるすべての第１リソースの時間領域長情報、及び／又は、前記第１時間領域ユニットにおけるすべての第１リソースの時間領域位置のセットを含むことを特徴とする
請求項１５に記載の方法。
【請求項１７】
前記第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
前記第２設定情報がＲＲＣシグナリング、システム情報、ＤＣＩ及びＭＡＣ  ＣＥのうちのいずれか１つであることを特徴とする
請求項１０〜１６のいずれか１項に記載の方法。
【請求項１８】
前記第１リソースが物理ダウンリンク制御チャネルを伝送する制御リソースセット又はサーチスペースであることを特徴とする
請求項１０〜１７のいずれか１項に記載の方法。
【請求項１９】
ネットワーク機器であって、
端末装置へ設定情報を送信するように構成され、前記設定情報が第１リソースの時間領域位置を設定することに用いられ、前記第１リソースが物理ダウンリンク制御チャネルを伝送することに用いられ、前記設定情報が第１設定情報及び第２設定情報を含み、前記第１設定情報が少なくとも１つの第１時間領域ユニットを示し、各前記第１時間領域ユニットが前記第１リソースを含み、前記第２設定情報が、前記第１設定情報によって示される前記第１時間領域ユニットにおける少なくとも１つの第２時間領域ユニットを示し、各前記第２時間領域ユニットが前記第１リソースの一部又は全部を含む送信ユニットを備え、
前記送信ユニットは、更に、前記第１リソースにおいて前記端末装置へ前記物理ダウンリンク制御チャネルを伝送するように構成されることを特徴とする、前記ネットワーク機器。
【請求項２０】
前記第１時間領域ユニットが少なくとも１つのタイムスロットを含むことを特徴とする
請求項１９に記載のネットワーク機器。
【請求項２１】
前記第２時間領域ユニットが少なくとも１つのシンボルを含むことを特徴とする
請求項１９又は２０に記載のネットワーク機器。
【請求項２２】
前記第１設定情報は具体的に前記第１時間領域ユニットの出現する周期を示すことに用いられ、又は、前記第１設定情報は具体的に第１時間周期内の前記少なくとも１つの第１時間領域ユニットの時間領域位置を示すことに用いられることを特徴とする
請求項１９〜２１のいずれか１項に記載のネットワーク機器。
【請求項２３】
前記第１設定情報が第１時間周期内の時間領域位置によって前記少なくとも１つの第１時間領域ユニットを示す場合、前記第１時間周期内の時間領域位置は、前記第１時間周期内のすべての第１時間領域ユニットの時間領域位置のセットを含むことを特徴とする
請求項２２に記載のネットワーク機器。
【請求項２４】
前記第２設定情報は具体的に前記第２時間領域ユニットの出現する周期を示すことに用いられ、又は、前記第２設定情報は具体的に前記少なくとも１つの第２時間領域ユニットの前記第１時間領域ユニットにおける時間領域位置を示すことに用いられることを特徴とする
請求項１９〜２３のいずれか１項に記載のネットワーク機器。
【請求項２５】
前記第２設定情報が前記第１時間領域ユニットにおける時間領域位置によって前記少なくとも１つの第２時間領域ユニットを示す場合、前記第１時間領域ユニットにおける時間領域位置は、前記第１時間領域ユニットにおける前記第１リソースの開始シンボル位置、及び／又は、前記第１時間領域ユニットにおけるすべての第１リソースの時間領域長情報、及び／又は、前記第１時間領域ユニットにおけるすべての第１リソースの時間領域位置のセットを含むことを特徴とする
請求項２４に記載のネットワーク機器。
【請求項２６】
前記第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
前記第２設定情報がＲＲＣシグナリング、システム情報、ＤＣＩ及びＭＡＣ  ＣＥのうちのいずれか１つであることを特徴とする
請求項１９〜２５のいずれか１項に記載のネットワーク機器。
【請求項２７】
前記第１リソースが物理ダウンリンク制御チャネルを伝送する制御リソースセット又はサーチスペースであることを特徴とする
請求項１９〜２６のいずれか１項に記載のネットワーク機器。
【請求項２８】
端末装置であって、
ネットワーク機器から送信された設定情報を受信するように構成され、前記設定情報が第１リソースの時間領域位置を示すことに用いられ、前記第１リソースが物理ダウンリンク制御チャネルを伝送することに用いられ、前記設定情報が第１設定情報及び第２設定情報を含み、前記第１設定情報が少なくとも１つの第１時間領域ユニットを示し、各前記第１時間領域ユニットが前記第１リソースを含み、前記第２設定情報が、前記第１設定情報によって示される前記第１時間領域ユニットにおける少なくとも１つの第２時間領域ユニットを示し、各前記第２時間領域ユニットが前記第１リソースの一部又は全部を含む受信ユニットを備え、
前記受信ユニットは、更に、前記第１リソースにおいて前記ネットワーク機器より伝送された前記物理ダウンリンク制御チャネルをモニタリングするように構成されることを特徴とする、前記端末装置。
【請求項２９】
前記第１時間領域ユニットが少なくとも１つのタイムスロットを含むことを特徴とする
請求項２８に記載の端末装置。
【請求項３０】
前記第２時間領域ユニットが少なくとも１つのシンボルを含むことを特徴とする
請求項２８又は２９に記載の端末装置。
【請求項３１】
前記第１設定情報は具体的に前記第１時間領域ユニットの出現する周期を示すことに用いられ、又は、前記第１設定情報は具体的に第１時間周期内の前記少なくとも１つの第１時間領域ユニットの時間領域位置を示すことに用いられることを特徴とする
請求項２８〜３０のいずれか１項に記載の端末装置。
【請求項３２】
前記第１設定情報が第１時間周期内の時間領域位置によって前記少なくとも１つの第１時間領域ユニットを示す場合、前記第１時間周期内の時間領域位置は、前記第１時間周期内のすべての第１時間領域ユニットの時間領域位置のセットを含むことを特徴とする
請求項３１に記載の端末装置。
【請求項３３】
前記第２設定情報は具体的に前記第２時間領域ユニットの出現する周期を示すことに用いられ、又は、前記第２設定情報は具体的に前記少なくとも１つの第２時間領域ユニットの前記第１時間領域ユニットにおける時間領域位置を示すことに用いられることを特徴とする
請求項２８〜３２のいずれか１項に記載の端末装置。
【請求項３４】
前記第２設定情報が前記第１時間領域ユニットにおける時間領域位置によって前記少なくとも１つの第２時間領域ユニットを示す場合、前記第１時間領域ユニットにおける時間領域位置は、前記第１時間領域ユニットにおける前記第１リソースの開始シンボル位置、及び／又は、前記第１時間領域ユニットにおけるすべての第１リソースの時間領域長情報、及び／又は、前記第１時間領域ユニットにおけるすべての第１リソースの時間領域位置のセットを含むことを特徴とする
請求項３３に記載の端末装置。
【請求項３５】
前記第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
前記第２設定情報がＲＲＣシグナリング、システム情報、ＤＣＩ及びＭＡＣ  ＣＥのうちのいずれか１つであることを特徴とする
請求項２８〜３４のいずれか１項に記載の端末装置。
【請求項３６】
前記第１リソースが物理ダウンリンク制御チャネルを伝送する制御リソースセット又はサーチスペースであることを特徴とする
請求項２８〜３５のいずれか１項に記載の端末装置。
【発明の詳細な説明】
【技術分野】
【０００１】
本願は通信分野に関し、且つより具体的に、無線通信方法、ネットワーク機器及び端末装置に関する。
【背景技術】
【０００２】
新無線（ＮＲ：Ｎｅｗ  Ｒａｄｉｏ）システムにおいて、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）がリソース制御セット（ＣＯＲＥＳＥＴ）において伝送される。現段階では、端末装置はＣＯＲＥＳＥＴを均一にモニタリングすることにより、ＰＤＣＣＨの受信を実現することができる。ところが、このようなＣＯＲＥＳＥＴのモニタリングメカニズムは柔軟性が不十分であり、いくつかの場合には、例えば、マルチビームシステムにおいて、端末装置は常に所定頻度でＣＯＲＥＳＥＴをモニタリングする必要がなく、この時、ＣＯＲＥＳＥＴを均一にモニタリングする場合、必要としない余分の複雑度及び端末装置の電力消費をもたらしてしまう。従って、どのようにＰＤＣＣＨモニタリング方式を柔軟に設定するかは、早急な解決の待たれる問題の１つである。
【発明の概要】
【発明が解決しようとする課題】
【０００３】
本願の実施例は無線通信方法、ネットワーク機器及び端末装置を提供し、ネットワーク機器はタイムスロットレベルでＰＤＣＣＨを伝送する第１リソースの時間領域位置を設定してもよいし、シンボルレベルでＰＤＣＣＨを伝送する第１リソースの時間領域位置を設定してもよく、それにより端末装置は各タイムスロット内の第１リソースにおいてＰＤＣＣＨをモニタリングする必要がなく、更に、端末装置の電力消費を低減する。
【課題を解決するための手段】
【０００４】
第１態様では、本願の実施例は無線通信方法を提供し、
端末装置へ設定情報を送信し、該設定情報が第１リソースの時間領域位置を設定することに用いられ、該第１リソースが物理ダウンリンク制御チャネルを伝送することに用いられ、該設定情報が第１設定情報及び第２設定情報を含み、該第１設定情報が少なくとも１つの第１時間領域ユニットを示し、各該第１時間領域ユニットが該第１リソースを含み、該第２設定情報が該第１設定情報によって示される該第１時間領域ユニットにおける少なくとも１つの第２時間領域ユニットを示し、各該第２時間領域ユニットが該第１リソースの一部又は全部を含むことと、
該第１リソースにおいて該端末装置へ該物理ダウンリンク制御チャネルを伝送することと、を含む。
【０００５】
好ましくは、該第１時間領域ユニットがタイムスロットレベルの時間領域ユニットであり、該第２時間領域ユニットがシンボルレベルの時間領域ユニットである。
【０００６】
好ましくは、該設定情報で示す第１リソースの時間領域位置が該第１リソースの時間領域開始位置であってもよい。
【０００７】
従って、本願の実施例の無線通信方法において、ネットワーク機器は第１設定情報及び第２設定情報によって物理ダウンリンク制御チャネルを伝送する第１リソースを階層的に設定し、これにより、より柔軟なＰＤＣＣＨモニタリングを実現でき、それにより端末装置は各タイムスロット内の第１リソースにおいてＰＤＣＣＨをモニタリングする必要がなく、更に、端末装置の電力消費を低減する。
【０００８】
好ましくは、第１態様の実現方式では、該第１時間領域ユニットが少なくとも１つのタイムスロットを含む。
【０００９】
好ましくは、第１態様の実現方式では、該第２時間領域ユニットが少なくとも１つのシンボルを含む。
【００１０】
好ましくは、第１態様の実現方式では、該第１設定情報は具体的に該第１時間領域ユニットの出現する周期を示すことに用いられ、又は、該第１設定情報は具体的に第１時間周期内の該少なくとも１つの第１時間領域ユニットの時間領域位置を示すことに用いられる。
【００１１】
好ましくは、第１態様の実現方式では、該第１設定情報が第１時間周期内の時間領域位置によって該少なくとも１つの第１時間領域ユニットを示す場合、該第１時間周期内の時間領域位置は該第１時間周期内のすべての第１時間領域ユニットの時間領域位置のセットを含む。
【００１２】
好ましくは、第１態様の実現方式では、該第２設定情報は具体的に該第２時間領域ユニットの出現する周期を示すことに用いられ、又は、該第２設定情報は具体的に該少なくとも１つの第２時間領域ユニットの該第１時間領域ユニットにおける時間領域位置を示すことに用いられる。
【００１３】
好ましくは、第１態様の実現方式では、該第２設定情報が該第１時間領域ユニットにおける時間領域位置によって該少なくとも１つの第２時間領域ユニットを示す場合、該第１時間領域ユニットにおける時間領域位置は該第１時間領域ユニットにおける該第１リソースの開始シンボル位置、及び／又は、該第１時間領域ユニットにおけるすべての第１リソースの時間領域長情報、及び／又は、該第１時間領域ユニットにおけるすべての第１リソースの時間領域位置のセットを含む。
【００１４】
好ましくは、第１態様の実現方式では、該第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
該第２設定情報がＲＲＣシグナリング、システム情報、ＤＣＩ及びＭＡＣ  ＣＥのうちのいずれか１つである。
【００１５】
好ましくは、第１態様の実現方式では、該第１リソースが物理ダウンリンク制御チャネルを伝送する制御リソースセット又はサーチスペースである。
【００１６】
第２態様では、本願の実施例は無線通信方法を提供し、
ネットワーク機器から送信された設定情報を受信し、該設定情報が第１リソースの時間領域位置を示すことに用いられ、該第１リソースが物理ダウンリンク制御チャネルを伝送することに用いられ、該設定情報が第１設定情報及び第２設定情報を含み、該第１設定情報が少なくとも１つの第１時間領域ユニットを示し、各該第１時間領域ユニットが該第１リソースを含み、該第２設定情報が該第１設定情報によって示される該第１時間領域ユニットにおける少なくとも１つの第２時間領域ユニットを示し、各該第２時間領域ユニットが該第１リソースの一部又は全部を含むことと、
該第１リソースにおいて該ネットワーク機器より伝送された該物理ダウンリンク制御チャネルをモニタリングすることと、を含む。
【００１７】
従って、本願の実施例の無線通信方法において、ネットワーク機器は第１設定情報及び第２設定情報によって物理ダウンリンク制御チャネルを伝送する第１リソースを階層的に設定し、これにより、より柔軟なＰＤＣＣＨモニタリングを実現でき、それにより端末装置は各タイムスロット内の第１リソースにおいてＰＤＣＣＨをモニタリングする必要がなく、更に、端末装置の電力消費を低減する。
【００１８】
好ましくは、第１態様の実現方式では、該第１時間領域ユニットが少なくとも１つのタイムスロットを含む。
【００１９】
好ましくは、第１態様の実現方式では、該第２時間領域ユニットが少なくとも１つのシンボルを含む。
【００２０】
好ましくは、第１態様の実現方式では、該第１設定情報は具体的に該第１時間領域ユニットの出現する周期を示すことに用いられ、又は、該第１設定情報は具体的に第１時間周期内の該少なくとも１つの第１時間領域ユニットの時間領域位置を示すことに用いられる。
【００２１】
好ましくは、第１態様の実現方式では、該第１設定情報が第１時間周期内の時間領域位置によって該少なくとも１つの第１時間領域ユニットを示す場合、該第１時間周期内の時間領域位置は該第１時間周期内のすべての第１時間領域ユニットの時間領域位置のセットを含む。
【００２２】
好ましくは、第１態様の実現方式では、該第２設定情報は具体的に該第２時間領域ユニットの出現する周期を示すことに用いられ、又は、該第２設定情報は具体的に該少なくとも１つの第２時間領域ユニットの該第１時間領域ユニットにおける時間領域位置を示すことに用いられる。
【００２３】
好ましくは、第１態様の実現方式では、該第２設定情報が該第１時間領域ユニットにおける時間領域位置によって該少なくとも１つの第２時間領域ユニットを示す場合、該第１時間領域ユニットにおける時間領域位置は該第１時間領域ユニットにおける該第１リソースの開始シンボル位置、及び／又は、該第１時間領域ユニットにおけるすべての第１リソースの時間領域長情報、及び／又は、該第１時間領域ユニットにおけるすべての第１リソースの時間領域位置のセットを含む。
【００２４】
好ましくは、第１態様の実現方式では、該第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
該第２設定情報がＲＲＣシグナリング、システム情報、ＤＣＩ及びＭＡＣ  ＣＥのうちのいずれか１つである。
【００２５】
好ましくは、第１態様の実現方式では、該第１リソースが物理ダウンリンク制御チャネルを伝送する制御リソースセット又はサーチスペースである。
【００２６】
第３態様では、本願の実施例はネットワーク機器を提供し、第１態様又は第１態様のいずれか１つの可能な実現方式における方法を実行することができるモジュール又はユニットを備える。
【００２７】
第４態様では、本願の実施例は端末装置を提供し、第２態様又は第２態様のいずれか１つの可能な実現方式における方法を実行することができるモジュール又はユニットを備える。
【００２８】
第５態様では、ネットワーク機器を提供し、該ネットワーク機器はプロセッサ、メモリ及び通信インターフェースを備える。プロセッサがメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサが第１態様又は第１態様のいずれか１つの可能な実現方式における方法を実行する。
【００２９】
第６態様では、端末装置を提供し、該端末装置はプロセッサ、メモリ及び通信インターフェースを備える。プロセッサがメモリ及び通信インターフェースに接続される。メモリは命令を記憶することに用いられ、プロセッサは該命令を実行することに用いられ、通信インターフェースはプロセッサの制御下で他のネットワーク要素と通信することに用いられる。該プロセッサが該メモリに記憶される命令を実行するとき、該実行によって該プロセッサが第２態様又は第２態様のいずれか１つの可能な実現方式における方法を実行する。
【００３０】
第７態様では、コンピュータ記憶媒体を提供し、該コンピュータ記憶媒体にプログラムコードが記憶され、該プログラムコードはコンピュータが上記第１態様又は第１態様のいずれか１つの可能な実現方式における方法を実行する命令を示すことに用いられる。
【００３１】
第８態様では、コンピュータ記憶媒体を提供し、該コンピュータ記憶媒体にプログラムコードが記憶され、該プログラムコードはコンピュータが上記第２態様又は第２態様のいずれか１つの可能な実現方式における方法を実行する命令を示すことに用いられる。
【００３２】
第９態様では、命令を含むコンピュータプログラム製品を提供し、コンピュータにおいて実行されるとき、コンピュータが上記各態様に記載の方法を実行する。
【図面の簡単な説明】
【００３３】
【図１】図１は本願の実施例に適用される無線通信システムを示す図である。
【図２】図２は本願の実施例に係る無線通信方法の模式的なフローチャートである。
【図３】図３は本願の実施例に係る第１リソースの時間領域位置の分布模式図である。
【図４】図４は本願の実施例に係る他の第１リソースの時間領域位置の分布模式図である。
【図５】図５は本願の実施例に係る別の第１リソースの時間領域位置の分布模式図である。
【図６】図６は本願の実施例に係る別の第１リソースの時間領域位置の分布模式図である。
【図７】図７は本願の実施例に係る他の無線通信方法の模式的なフローチャートである。
【図８】図８は本願の実施例に係るネットワーク機器の模式的なブロック図である。
【図９】図９は本願の実施例に係る端末装置の模式的なブロック図である。
【図１０】図１０は本願の実施例に係る無線通信装置の模式的なブロック図である。
【図１１】図１１は本願の実施例に係るシステムチップの構造模式図である。
【発明を実施するための形態】
【００３４】
以下、本願の実施例の図面を参照しながら、本願の実施例の技術案を明確且つ完全に説明する。
【００３５】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００３６】
図１には本願の実施例に適用される無線通信システム１００を示す。該無線通信システム１００はネットワーク機器１１０を備えてもよい。ネットワーク機器１１０は端末装置と通信する装置であってもよい。ネットワーク機器１１０は特定の地理的領域に通信カバレッジを提供することができ、且つ該カバレッジ領域内の端末装置（例えば、ＵＥ）と通信することができる。好ましくは、該ネットワーク機器１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００３７】
該無線通信システム１００は更にネットワーク機器１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００３８】
好ましくは、端末装置１２０同士が装置対装置（Ｄ２Ｄ：Ｄｅｖｉｃｅ  ｔｏ  Ｄｅｖｉｃｅ）通信を行うことができる。
【００３９】
好ましくは、５Ｇシステム又はネットワークが更に新無線（ＮＲ：Ｎｅｗ  Ｒａｄｉｏ）システム又はネットワークと称されてもよい。
【００４０】
図１には１つのネットワーク機器及び２つの端末装置を例示的に示し、好ましくは、該無線通信システム１００は複数のネットワーク機器を備えてもよく、且つ各ネットワーク機器のカバレッジ範囲内には他の数の端末装置が含まれてもよく、本願の実施例は制限しない。
【００４１】
好ましくは、該無線通信システム１００は更にネットワーク制御装置、モビリティ管理エンティティ等の他のネットワークエンティティを備えてもよく、本願の実施例は制限しない。
【００４２】
本願の実施例において、ネットワーク機器はシンボルレベルで端末装置に物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を伝送するための第１リソースの時間領域位置を設定してもよく、タイムスロットレベルで端末装置にＰＤＣＣＨを伝送するための第１リソースの時間領域位置を設定してもよく、端末装置がネットワーク機器により設定された時間領域位置でネットワーク機器から送信されたＰＤＣＣＨを受信する。
【００４３】
好ましくは、該第１リソースが制御リソースセット（ＣＯＲＥＳＥＴ）であってもよいし、サーチスペース（Ｓｅａｒｃｈ  Ｓｐａｃｅ）であってもよい。
【００４４】
好ましくは、ネットワーク機器は更に第１リソースの時間領域長を示す情報を設定してもよい。
【００４５】
好ましくは、制御リソースセットは共通のサーチリソースセットを含んでもよいし、ユーザー固有のサーチリソースセットを含んでもよい。
【００４６】
本明細書において、本明細書における用語「システム」と「ネットワーク」は常に交換可能に使用されると理解すべきである。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００４７】
図２は本願の実施例に係る無線通信方法２００の模式的なフローチャートである。図２に示すように、該方法２００がネットワーク機器により実行されてもよく、該ネットワーク機器が図１に示されるネットワーク機器であってもよく、該方法２００における端末装置が図１に示される端末装置であってもよく、該方法２００は以下を含む。
【００４８】
２１０、ネットワーク機器が端末装置へ設定情報を送信し、該設定情報が第１リソースの時間領域位置を設定することに用いられ、該第１リソースが物理ダウンリンク制御チャネルを伝送することに用いられ、該設定情報が第１設定情報及び第２設定情報を含み、該第１設定情報が少なくとも１つの第１時間領域ユニットを示し、各該第１時間領域ユニットが該第１リソースを含み、該第２設定情報が該第１設定情報によって示される該第１時間領域ユニットにおける少なくとも１つの第２時間領域ユニットを示し、各該第２時間領域ユニットが該第１リソースの一部又は全部を含む。
【００４９】
好ましくは、該第１リソースの一部とは第１リソースの時間領域開始位置のみを含むことを意味し、該第１リソースの全部とは第１リソースの時間領域開始位置を含むだけでなく、更に第１リソースの時間領域長を含むことを意味する。
【００５０】
好ましくは、該設定情報は第１リソースの時間領域開始位置のみを示してもよいし、第１リソースの時間領域開始位置及び時間領域長を同時に示してもよい。
【００５１】
好ましくは、該第１リソースが物理ダウンリンク制御チャネルを伝送する制御リソースセット（ＣＯＲＥＳＥＴ）又はサーチスペース（Ｓｅａｒｃｈ  Ｓｐａｃｅ）である。
【００５２】
好ましくは、該第１リソースが共通のサーチスペースであってもよいし、ユーザー固有のサーチスペースであってもよい。
【００５３】
好ましくは、該第１時間領域ユニットが少なくとも１つのタイムスロットを含む。好ましくは、ネットワーク機器は第１設定情報の時間領域でのタイムスロットレベルで該第１リソースを設定してもよい。
【００５４】
好ましくは、該第１設定情報は具体的に該第１時間領域ユニットの出現する周期を示すことに用いられ、又は、該第１設定情報は具体的に第１時間周期内の該少なくとも１つの第１時間領域ユニットの時間領域位置を示すことに用いられる。
【００５５】
好ましくは、該第１設定情報が第１時間周期内の時間領域位置によって該少なくとも１つの第１時間領域ユニットを示す場合、該第１時間周期内の時間領域位置は該第１時間周期内のすべての第１時間領域ユニットの時間領域位置のセットを含む。
【００５６】
好ましくは、該第１設定情報が無線リソース制御（ＲＲＣ：Ｒａｄｉｏ  Ｒｅｓｏｕｒｃｅ  Ｃｏｎｔｒｏｌ）シグナリング、システム情報、ダウンリンク制御情報（ＤＣＩ：Ｄｏｗｎｌｉｎｋ  Ｃｏｎｔｒｏｌ  Ｉｎｆｏｒｍａｔｉｏｎ）及び媒体アクセス制御の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）のうちのいずれか１つである。
【００５７】
好ましくは、該第２時間領域ユニットが少なくとも１つのシンボルを含む。好ましくは、ネットワーク機器は第２設定情報の時間領域でのシンボルレベルで該第１リソースを設定してもよい。
【００５８】
好ましくは、該第２設定情報は具体的に該第２時間領域ユニットの出現する周期を示すことに用いられ、又は、該第２設定情報は具体的に該少なくとも１つの第２時間領域ユニットの該第１時間領域ユニットにおける時間領域位置を示すことに用いられる。
【００５９】
好ましくは、該第２設定情報が該第１時間領域ユニットにおける時間領域位置によって該少なくとも１つの第２時間領域ユニットを示す場合、該第１時間領域ユニットにおける時間領域位置は該第１時間領域ユニットにおける該第１リソースの開始シンボル位置、及び／又は、該第１時間領域ユニットにおけるすべての第１リソースの時間領域長情報、及び／又は、該第１時間領域ユニットにおけるすべての第１リソースの時間領域位置のセットを含む。
【００６０】
好ましくは、該第２設定情報がＲＲＣシグナリング、システム情報、ＤＣＩ及びＭＡＣ  ＣＥのうちのいずれか１つである。
【００６１】
好ましくは、該ネットワーク機器が該第１設定情報で該第１時間領域ユニットの出現する周期を示すとともに、該第２設定情報で該第２時間領域ユニットの出現する周期を示す。
【００６２】
例えば、図３に示すように、ネットワーク機器が、第１設定情報によって第１リソース（ＣＯＲＥＳＥＴ又はＳｅａｒｃｈ  Ｓｐａｃｅ）が含まれるタイムスロットの出現する周期を示し、第２設定情報によって１つのタイムスロット内の第１リソースの開始シンボルの出現する周期を示す。図３に示すように、タイムスロット０、タイムスロット１及びタイムスロット２のうち、タイムスロット０のみが第１リソースを含み、タイムスロット３、タイムスロット４及びタイムスロット５のうち、タイムスロット３のみが第１リソースを含み、つまり、３つごとのタイムスロットのうち第１リソースを含むタイムスロットが１つあり、各タイムスロットにおいて、シンボル０、シンボル２、シンボル４及びシンボル６が第１リソースの開始シンボルであり、つまり、２つごとのシンボルのうち第１リソースの開始シンボルが１つある。
【００６３】
好ましくは、該ネットワーク機器が該第１設定情報で該第１時間領域ユニットの出現する周期を示すとともに、該第２設定情報で該少なくとも１つの第２時間領域ユニットの該第１時間領域ユニットにおける時間領域位置を示す。
【００６４】
例えば、図４に示すように、ネットワーク機器が第１設定情報で第１リソース（制御リソースセット又はサーチスペース）を含むタイムスロットの出現する周期を示し、第２設定情報で１つのタイムスロットにおいて具体的にどのシンボルが第１リソースの開始シンボルであるかを示す。具体的に、図４に示すように、タイムスロット０、タイムスロット１及びタイムスロット２のうち、タイムスロット０のみが第１リソースを含み、タイムスロット３、タイムスロット４及びタイムスロット５のうち、タイムスロット３のみが第１リソースを含み、つまり、３つごとのタイムスロットのうち第１リソースを含むタイムスロットが１つあり、各タイムスロットにおいて、２つの第１リソースの開始シンボルがそれぞれ１番目のシンボル及び４番目のシンボルである。
【００６５】
好ましくは、該ネットワーク機器が該第１設定情報で第１時間周期内の該少なくとも１つの第１時間領域ユニットの時間領域位置を示すとともに、該第２設定情報で該第２時間領域ユニットの出現する周期を示す。
【００６６】
例えば、図５に示すように、ネットワーク機器は第１設定情報で一定時間周期内にどのタイムスロットが第１リソース（制御リソースセット又はサーチスペース）を含むかを示し、第２設定情報で１つのタイムスロット内の第１リソースの開始シンボルの出現する周期を示す。具体的に、図５に示すように、タイムスロット０、タイムスロット１及びタイムスロット２のうち、タイムスロット０及びタイムスロット１が第１リソースを含み、タイムスロット３、タイムスロット４及びタイムスロット５のうち、タイムスロット３及びタイムスロット４が第１リソースを含み、つまり、３つごとのタイムスロットのうちの上位２つのタイムスロットが第１リソースを含み、各タイムスロットにおいて、シンボル０、シンボル２、シンボル４及びシンボル６が第１リソースの開始シンボルであり、つまり、２つごとのシンボルのうち第１リソースの開始シンボルが１つある。
【００６７】
好ましくは、該ネットワーク機器が該第１設定情報で第１時間周期内の該少なくとも１つの第１時間領域ユニットの時間領域位置を示すとともに、該第２設定情報で該少なくとも１つの第２時間領域ユニットの該第１時間領域ユニットにおける時間領域位置を示す。
【００６８】
例えば、図６に示すように、ネットワーク機器は第１設定情報で一定周期内にどのタイムスロットがＣＯＲＥＳＥＴを含むかを示し、第２設定情報で１つのタイムスロット内にどのシンボルがＣＯＲＥＳＥＴの開始シンボルであるかを示す。具体的に、図６に示すように、タイムスロット０、タイムスロット１及びタイムスロット２のうち、タイムスロット０及びタイムスロット１が第１リソースを含み、タイムスロット３、タイムスロット４及びタイムスロット５のうち、タイムスロット３及びタイムスロット４が第１リソースを含み、つまり、３つごとのタイムスロットのうちの上位２つのタイムスロットが第１リソースを含み、各タイムスロットにおいて、それぞれ１番目のシンボル及び４番目のシンボルから開始するＣＯＲＥＳＥＴが２つある。
【００６９】
２２０、該ネットワーク機器が該第１リソースにおいて該端末装置へ該物理ダウンリンク制御チャネルを伝送する。
【００７０】
従って、本願の実施例の無線通信方法において、ネットワーク機器は第１設定情報及び第２設定情報によって物理ダウンリンク制御チャネルを伝送する第１リソースを階層的に設定し、これにより、より柔軟なＰＤＣＣＨモニタリングを実現でき、それにより端末装置は各タイムスロット内の第１リソースにおいてＰＤＣＣＨをモニタリングする必要がなく、更に、端末装置の電力消費を低減する。
【００７１】
更に、ネットワーク機器が第１設定情報で第１時間領域ユニットの出現する周期又は第１時間周期内の少なくとも１つの第１時間領域ユニットの時間領域位置を示し、タイムスロットレベルの柔軟な設定を実現し、様々な遅延要求を満たす。
【００７２】
更に、ネットワーク機器が第２設定情報で第２時間領域ユニットの出現する周期又は少なくとも１つの第２時間領域ユニットの第１時間領域ユニットにおける時間領域位置を示し、シンボルレベルの柔軟な設定を実現し、様々な遅延要求を満たす。
【００７３】
図７は本願の実施例に係る無線通信方法３００の模式的なフローチャートである。図７に示すように、該方法３００が端末装置により実行されてもよく、該端末装置が図１に示される端末装置であってもよく、該方法３００におけるネットワーク機器が図１に示されるネットワーク機器であってもよく、該方法３００は以下を含む。
【００７４】
３１０、端末装置がネットワーク機器から送信された設定情報を受信し、該設定情報が第１リソースの時間領域位置を示すことに用いられ、該第１リソースが物理ダウンリンク制御チャネルを伝送することに用いられ、該設定情報が第１設定情報及び第２設定情報を含み、該第１設定情報が少なくとも１つの第１時間領域ユニットを示し、各該第１時間領域ユニットが該第１リソースを含み、該第２設定情報が該第１設定情報によって示される該第１時間領域ユニットにおける少なくとも１つの第２時間領域ユニットを示し、各該第２時間領域ユニットが該第１リソースの一部又は全部を含む。
【００７５】
好ましくは、該第１時間領域ユニットが少なくとも１つのタイムスロットを含む。
【００７６】
好ましくは、該第２時間領域ユニットが少なくとも１つのシンボルを含む。
【００７７】
好ましくは、該第１設定情報は具体的に該第１時間領域ユニットの出現する周期を示すことに用いられ、又は、該第１設定情報は具体的に第１時間周期内の該少なくとも１つの第１時間領域ユニットの時間領域位置を示すことに用いられる。
【００７８】
好ましくは、該第１設定情報が第１時間周期内の時間領域位置によって該少なくとも１つの第１時間領域ユニットを示す場合、該第１時間周期内の時間領域位置は該第１時間周期内のすべての第１時間領域ユニットの時間領域位置のセットを含む。
【００７９】
好ましくは、該第２設定情報は具体的に該第２時間領域ユニットの出現する周期を示すことに用いられ、又は、該第２設定情報は具体的に該少なくとも１つの第２時間領域ユニットの該第１時間領域ユニットにおける時間領域位置を示すことに用いられる。
【００８０】
好ましくは、該第２設定情報が該第１時間領域ユニットにおける時間領域位置によって該少なくとも１つの第２時間領域ユニットを示す場合、該第１時間領域ユニットにおける時間領域位置は該第１時間領域ユニットにおける該第１リソースの開始シンボル位置、及び／又は、該第１時間領域ユニットにおけるすべての第１リソースの時間領域長情報、及び／又は、該第１時間領域ユニットにおけるすべての第１リソースの時間領域位置のセットを含む。
【００８１】
好ましくは、該第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
該第２設定情報がＲＲＣシグナリング、システム情報、ＤＣＩ及びＭＡＣ  ＣＥのうちのいずれか１つである。
【００８２】
好ましくは、該第１リソースが物理ダウンリンク制御チャネルを伝送する制御リソースセット又はサーチスペースである。
【００８３】
３２０、該端末装置が該第１リソースにおいて該ネットワーク機器より伝送された該物理ダウンリンク制御チャネルをモニタリングする。
【００８４】
好ましくは、該端末装置は一定の周期で第１リソースにおいて該ネットワーク機器より伝送された該物理ダウンリンク制御チャネルをモニタリングすることができる。
【００８５】
無線通信方法３００におけるステップは無線通信方法２００における対応ステップの説明を参照してもよく、簡潔のため、ここで詳細な説明は省略すると理解すべきである。
【００８６】
従って、本願の実施例の無線通信方法において、ネットワーク機器は第１設定情報及び第２設定情報によって物理ダウンリンク制御チャネルを伝送する第１リソースを階層的に設定し、これにより、より柔軟なＰＤＣＣＨモニタリングを実現でき、それにより端末装置は各タイムスロット内の第１リソースにおいてＰＤＣＣＨをモニタリングする必要がなく、更に、端末装置の電力消費を低減する。
【００８７】
更に、ネットワーク機器が第１設定情報で第１時間領域ユニットの出現する周期又は第１時間周期内の少なくとも１つの第１時間領域ユニットの時間領域位置を示し、タイムスロットレベルの柔軟な設定を実現し、様々な遅延要求を満たす。
【００８８】
更に、ネットワーク機器が第２設定情報で第２時間領域ユニットの出現する周期又は少なくとも１つの第２時間領域ユニットの第１時間領域ユニットにおける時間領域位置を示し、シンボルレベルの柔軟な設定を実現し、様々な遅延要求を満たす。
【００８９】
図８は本願の実施例に係るネットワーク機器４００の模式的なブロック図である。図８に示すように、該ネットワーク機器４００は、
端末装置へ設定情報を送信するように構成され、該設定情報が第１リソースの時間領域位置を設定することに用いられ、該第１リソースが物理ダウンリンク制御チャネルを伝送することに用いられ、該設定情報が第１設定情報及び第２設定情報を含み、該第１設定情報が少なくとも１つの第１時間領域ユニットを示し、各該第１時間領域ユニットが該第１リソースを含み、該第２設定情報が該第１設定情報によって示される該第１時間領域ユニットにおける少なくとも１つの第２時間領域ユニットを示し、各該第２時間領域ユニットが該第１リソースの一部又は全部を含む送信ユニット４１０を備え、
該送信ユニット４１０は、更に、該第１リソースにおいて該端末装置へ該物理ダウンリンク制御チャネルを伝送するように構成される。
【００９０】
好ましくは、該第１時間領域ユニットが少なくとも１つのタイムスロットを含む。
【００９１】
好ましくは、該第２時間領域ユニットが少なくとも１つのシンボルを含む。
【００９２】
好ましくは、該第１設定情報は具体的に該第１時間領域ユニットの出現する周期を示すことに用いられ、又は、該第１設定情報は具体的に第１時間周期内の該少なくとも１つの第１時間領域ユニットの時間領域位置を示すことに用いられる。
【００９３】
好ましくは、該第１設定情報が第１時間周期内の時間領域位置によって該少なくとも１つの第１時間領域ユニットを示す場合、該第１時間周期内の時間領域位置は該第１時間周期内のすべての第１時間領域ユニットの時間領域位置のセットを含む。
【００９４】
好ましくは、該第２設定情報は具体的に該第２時間領域ユニットの出現する周期を示すことに用いられ、又は、該第２設定情報は具体的に該少なくとも１つの第２時間領域ユニットの該第１時間領域ユニットにおける時間領域位置を示すことに用いられる。
【００９５】
好ましくは、該第２設定情報が該第１時間領域ユニットにおける時間領域位置によって該少なくとも１つの第２時間領域ユニットを示す場合、該第１時間領域ユニットにおける時間領域位置は該第１時間領域ユニットにおける該第１リソースの開始シンボル位置、及び／又は、該第１時間領域ユニットにおけるすべての第１リソースの時間領域長情報、及び／又は、該第１時間領域ユニットにおけるすべての第１リソースの時間領域位置のセットを含む。
【００９６】
好ましくは、該第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
該第２設定情報がＲＲＣシグナリング、システム情報、ＤＣＩ及びＭＡＣ  ＣＥのうちのいずれか１つである。
【００９７】
好ましくは、該第１リソースが物理ダウンリンク制御チャネルを伝送する制御リソースセット又はサーチスペースである。
【００９８】
本願の実施例に係るネットワーク機器４００は本願の方法実施例におけるネットワーク機器に対応してもよく、且つネットワーク機器４００における各ユニットの上記及び他の操作及び／又は機能はそれぞれ図２に示される方法２００におけるネットワーク機器の対応プロセスを実現するためのものであり、簡潔のため、ここで詳細な説明は省略すると理解すべきである。
【００９９】
図９は本願の実施例に係る端末装置５００の模式的なブロック図である。図９に示すように、該端末装置５００は、
ネットワーク機器から送信された設定情報を受信するように構成され、該設定情報が第１リソースの時間領域位置を示すことに用いられ、該第１リソースが物理ダウンリンク制御チャネルを伝送することに用いられ、該設定情報が第１設定情報及び第２設定情報を含み、該第１設定情報が少なくとも１つの第１時間領域ユニットを示し、各該第１時間領域ユニットが該第１リソースを含み、該第２設定情報が該第１設定情報によって示される該第１時間領域ユニットにおける少なくとも１つの第２時間領域ユニットを示し、各該第２時間領域ユニットが該第１リソースの一部又は全部を含む受信ユニット５１０を備え、
該受信ユニット５１０は、更に、該第１リソースにおいて該ネットワーク機器より伝送された該物理ダウンリンク制御チャネルをモニタリングするように構成される。
【０１００】
好ましくは、該第１時間領域ユニットが少なくとも１つのタイムスロットを含む。
【０１０１】
好ましくは、該第２時間領域ユニットが少なくとも１つのシンボルを含む。
【０１０２】
好ましくは、該第１設定情報は具体的に該第１時間領域ユニットの出現する周期を示すことに用いられ、又は、該第１設定情報は具体的に第１時間周期内の該少なくとも１つの第１時間領域ユニットの時間領域位置を示すことに用いられる。
【０１０３】
好ましくは、該第１設定情報が第１時間周期内の時間領域位置によって該少なくとも１つの第１時間領域ユニットを示す場合、該第１時間周期内の時間領域位置は該第１時間周期内のすべての第１時間領域ユニットの時間領域位置のセットを含む。
【０１０４】
好ましくは、該第２設定情報は具体的に該第２時間領域ユニットの出現する周期を示すことに用いられ、又は、該第２設定情報は具体的に該少なくとも１つの第２時間領域ユニットの該第１時間領域ユニットにおける時間領域位置を示すことに用いられる。
【０１０５】
好ましくは、該第２設定情報が該第１時間領域ユニットにおける時間領域位置によって該少なくとも１つの第２時間領域ユニットを示す場合、該第１時間領域ユニットにおける時間領域位置は該第１時間領域ユニットにおける該第１リソースの開始シンボル位置、及び／又は、該第１時間領域ユニットにおけるすべての第１リソースの時間領域長情報、及び／又は、該第１時間領域ユニットにおけるすべての第１リソースの時間領域位置のセットを含む。
【０１０６】
好ましくは、該第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
該第２設定情報がＲＲＣシグナリング、システム情報、ＤＣＩ及びＭＡＣ  ＣＥのうちのいずれか１つである。
【０１０７】
好ましくは、該第１リソースが物理ダウンリンク制御チャネルを伝送する制御リソースセット又はサーチスペースである。
【０１０８】
本願の実施例に係る端末装置５００は本願の方法実施例における端末装置に対応してもよく、且つ端末装置５００における各ユニットの上記及び他の操作及び／又は機能はそれぞれ図７に示される方法３００における端末装置の対応プロセスを実現するためのものであり、簡潔のため、ここで詳細な説明は省略すると理解すべきである。
【０１０９】
図１０は本願の実施例に係る無線通信装置６００の模式的なブロック図であり、該装置６００は、
コードを含むプログラムを記憶するように構成されるメモリ６１０と、
他の装置と通信するように構成される送受信機６２０と、
メモリ６１０におけるプログラムコードを実行するように構成されるプロセッサ６３０と、を備える。
【０１１０】
好ましくは、該コードが実行されるとき、該プロセッサ６３０は図２における方法２００におけるネットワーク機器の実行する各操作を実現することができ、簡潔のため、ここで詳細な説明は省略する。この時、該装置６００はアクセスネットワーク機器であってもよいし、コアネットワーク機器であってもよい。送受信機６２０はプロセッサ６３０の駆動下で具体的な信号の送受信を実行することに用いられる。
【０１１１】
好ましくは、該コードが実行されるとき、該プロセッサ６３０は更に図７における方法３００における端末装置の実行する各操作を実現することができ、簡潔のため、ここで詳細な説明は省略する。この時、該装置６００は端末装置、例えば携帯電話であってもよい。
【０１１２】
本願の実施例において、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１１３】
該メモリ６１０は読み出し専用メモリ及びランダムアクセスメモリを含んでもよく、且つプロセッサ６３０に命令及びデータを提供する。メモリ６１０の一部は更に不揮発性ランダムアクセスメモリを含んでもよい。例えば、メモリ６１０に更に装置タイプの情報が記憶されてもよい。
【０１１４】
送受信機６２０は信号送受信機能、例えばアップコンバータ及びダウンコンバータ機能とも称される周波数変調及び復調機能を実現することに用いられてもよい。
【０１１５】
実現過程において、上記方法の少なくとも１つのステップはプロセッサ６３０におけるハードウェアの集積論理回路で行われてもよく、又は該集積論理回路がソフトウェア形式の命令の駆動下で該少なくとも１つのステップを完了してもよい。従って、無線通信装置６００がチップ又はチップセットであってもよい。本願の実施例に開示される方法のステップはハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサ６３０がメモリにおける情報を読み取り、そのハードウェアと組み合わせて上記方法のステップを行う。重複を避けるため、ここで詳細な説明は省略する。
【０１１６】
図１１は本願の実施例に係るシステムチップ７００の構造模式図である。図１１におけるシステムチップ７００は入力インターフェース７０１、出力インターフェース７０２、プロセッサ７０３及びメモリ７０４を備え、それらが内部通信接続経路によって接続されてもよく、該プロセッサ７０３は該メモリ７０４におけるコードを実行することに用いられる。
【０１１７】
好ましくは、該コードが実行されるとき、該プロセッサ７０３が方法実施例におけるネットワーク機器の実行する方法を実現する。簡潔のため、ここで詳細な説明は省略する。
【０１１８】
好ましくは、該コードが実行されるとき、該プロセッサ７０３が方法実施例における端末装置の実行する方法を実現する。簡潔のため、ここで詳細な説明は省略する。
【０１１９】
当業者であれば、本明細書に開示される実施例を参照して説明した各例示的なユニット及びアルゴリズムステップは、電子ハードウェア、又はコンピュータソフトウェア及び電子ハードウェアの組み合わせで実現できると理解される。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えると見なされるべきではない。
【０１２０】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１２１】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１２２】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１２３】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１２４】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１２５】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020534711.tif 000003
【図２】
2020534711.tif 000004
【図３】
2020534711.tif 000005
【図４】
2020534711.tif 000006
【図５】
2020534711.tif 000007
【図６】
2020534711.tif 000008
【図７】
2020534711.tif 000009
【図８】
2020534711.tif 000010
【図９】
2020534711.tif 000011
【図１０】
2020534711.tif 000012
【図１１】
2020534711.tif 000013
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
無線通信方法であって、
端末装置へ設定情報を送信し、前記設定情報が第１リソースの時間領域位置を設定することに用いられ、前記第１リソースが物理ダウンリンク制御チャネルを伝送することに用いられ、前記設定情報が第１設定情報及び第２設定情報を含み、前記第１設定情報が少なくとも１つの第１時間領域ユニットを示し、各前記第１時間領域ユニットが前記第１リソースを含み、前記第２設定情報が、前記第１設定情報によって示される前記第１時間領域ユニットにおける少なくとも１つの第２時間領域ユニットを示し、各前記第２時間領域ユニットが前記第１リソースの一部又は全部を含むことと、
前記第１リソースにおいて前記端末装置へ前記物理ダウンリンク制御チャネルを伝送することと、を含むことを特徴とする、前記無線通信方法。
【請求項２】
前記第１時間領域ユニットが少なくとも１つのタイムスロットを含むことを特徴とする
請求項１に記載の方法。
【請求項３】
前記第２時間領域ユニットが少なくとも１つのシンボルを含むことを特徴とする
請求項１又は２に記載の方法。
【請求項４】
前記第１設定情報は具体的に前記第１時間領域ユニットの出現する周期を示すことに用いられ、又は、前記第１設定情報は具体的に第１時間周期内の前記少なくとも１つの第１時間領域ユニットの時間領域位置を示すことに用いられることを特徴とする
請求項１〜３のいずれか１項に記載の方法。
【請求項５】
前記第１設定情報が第１時間周期内の時間領域位置によって前記少なくとも１つの第１時間領域ユニットを示す場合、前記第１時間周期内の時間領域位置は、前記第１時間周期内のすべての第１時間領域ユニットの時間領域位置のセットを含むことを特徴とする
請求項４に記載の方法。
【請求項６】
前記第２設定情報は具体的に前記第２時間領域ユニットの出現する周期を示すことに用いられ、又は、前記第２設定情報は具体的に前記少なくとも１つの第２時間領域ユニットの前記第１時間領域ユニットにおける時間領域位置を示すことに用いられることを特徴とする
請求項１〜５のいずれか１項に記載の方法。
【請求項７】
前記第２設定情報が前記第１時間領域ユニットにおける時間領域位置によって前記少なくとも１つの第２時間領域ユニットを示す場合、前記第１時間領域ユニットにおける時間領域位置は、前記第１時間領域ユニットにおける前記第１リソースの開始シンボル位置、及び／又は、前記第１時間領域ユニットにおけるすべての第１リソースの時間領域長情報、及び／又は、前記第１時間領域ユニットにおけるすべての第１リソースの時間領域位置のセットを含むことを特徴とする
請求項６に記載の方法。
【請求項８】
前記第１設定情報が無線リソース制御（ＲＲＣ）シグナリング、システム情報、ダウンリンク制御情報（ＤＣＩ）及び媒体アクセス制御の制御要素（ＭＡＣ  ＣＥ）のうちのいずれか１つであり、
前記第２設定情報がＲＲＣシグナリング、システム情報、ＤＣＩ及びＭＡＣ  ＣＥのうちのいずれか１つであることを特徴とする
請求項１〜７のいずれか１項に記載の方法。
【請求項９】
前記第１リソースが物理ダウンリンク制御チャネルを伝送する制御リソースセット又はサーチスペースであることを特徴とする
請求項１〜８のいずれか１項に記載の方法。
【請求項１０】
無線通信方法であって、
ネットワーク機器から送信された設定情報を受信し、前記設定情報が第１リソースの時間領域位置を示すことに用いられ、前記第１リソースが物理ダウンリンク制御チャネルを伝送することに用いられ、前記設定情報が第１設定情報及び第２設定情報を含み、前記第１設定情報が少なくとも１つの第１時間領域ユニットを示し、各前記第１時間領域ユニットが前記第１リソースを含み、前記第２設定情報が、前記第１設定情報によって示される前記第１時間領域ユニットにおける少なくとも１つの第２時間領域ユニットを示し、各前記第２時間領域ユニットが前記第１リソースの一部又は全部を含むことと、
前記第１リソースにおいて前記ネットワーク機器より伝送された前記物理ダウンリンク制御チャネルをモニタリングすることと、を含むことを特徴とする、前記無線通信方法。
【請求項１１】
前記第１時間領域ユニットが少なくとも１つのタイムスロットを含むことを特徴とする
請求項１０に記載の方法。
【請求項１２】
前記第２時間領域ユニットが少なくとも１つのシンボルを含むことを特徴とする
請求項１０又は１１に記載の方法。
【請求項１３】
前記第１設定情報は具体的に前記第１時間領域ユニットの出現する周期を示すことに用いられ、又は、前記第１設定情報は具体的に第１時間周期内の前記少なくとも１つの第１時間領域ユニットの時間領域位置を示すことに用いられることを特徴とする
請求項１０〜１２のいずれか１項に記載の方法。
【請求項１４】
前記第２設定情報は具体的に前記第２時間領域ユニットの出現する周期を示すことに用いられ、又は、前記第２設定情報は具体的に前記少なくとも１つの第２時間領域ユニットの前記第１時間領域ユニットにおける時間領域位置を示すことに用いられることを特徴とする
請求項１０〜１３のいずれか１項に記載の方法。
【請求項１５】
前記第２設定情報が前記第１時間領域ユニットにおける時間領域位置によって前記少なくとも１つの第２時間領域ユニットを示す場合、前記第１時間領域ユニットにおける時間領域位置は、前記第１時間領域ユニットにおける前記第１リソースの開始シンボル位置、及び／又は、前記第１時間領域ユニットにおけるすべての第１リソースの時間領域長情報、及び／又は、前記第１時間領域ユニットにおけるすべての第１リソースの時間領域位置のセットを含むことを特徴とする
請求項１４に記載の方法。
【請求項１６】
前記第１設定情報が無線リソース制御（ＲＲＣ）シグナリングにより搬送され、
前記第２設定情報がＲＲＣシグナリングにより搬送されることを特徴とする
請求項１０〜１５のいずれか１項に記載の方法。
【請求項１７】
ネットワーク機器であって、請求項１〜９のいずれか１項に記載の無線通信方法を実行するように構成される、
前記ネットワーク機器。
【請求項１８】
端末装置であって、請求項１０〜１６のいずれか１項に記載の無線通信方法を実行するように構成される、
前記端末装置。
【国際調査報告】
2020534711.tif 000014
2020534711.tif 000015
2020534711.tif 000016
2020534711.tif 000017